(57)【要約】【解決しようとする課題】猫用爪とぎ具において、ペットケージ等の格子状の場所に設置できて、取り外しが容易であり、スペースの有効利用にもなる、猫用爪とぎ具の固定具を提供する。【解決手段】愛玩猫が使用する爪とぎ具をペットケージ等の格子状の場所に設置する方法において、その格子状の場所に爪とぎ具の設置を可能にする為に、爪とぎ具の上方と下方に固定具を装備して設置する事を特徴とする、格子状の場所に猫用爪とぎ具を設置する為の固定具。固定具には、爪とぎの足場にもなる棚板を取り付け出来る構造を持つ、猫用爪とぎ具の固定具。【選択図】図３
2012050419.tif 000002
【特許請求の範囲】
【請求項１】
愛玩猫が使用する爪とぎ具をペットケージ等の格子状の場所に設置する方法において、その格子状の場所に爪とぎ具の設置を可能にする為に、爪とぎ具の上方と下方に固定具を装備して、それらと格子状の構造物などとを取り付ける事で固定できる事を特徴とする、猫用爪とぎ具の固定具。
【請求項２】
固定具には、棚板を取り付け出来る構造を持つ、請求項１に記載の猫用爪とぎ具の固定具。
【発明の詳細な説明】
【技術分野】
【０００１】本発明は、猫が爪をとぐ為の爪とぎ具を、ペットケージ等の格子状の構造物に設置し固定できる事に関するものである。
【背景技術】
【０００２】近年のペットブームを反映して、猫を飼う人が増えて来ている。猫は木に登ったりして自ら爪をとぐ習性を持っている。しかし愛玩猫の多くは室内で飼われる為に、この習性を発揮する機会を持ちにくいのが通常である。運動不測や、ストレス解消の為にも、猫が爪をとぐための用具を設置することによって猫が爪をとぐ機会を与えている。市販の猫用の爪とぎ具の種類として、材質ではダンボール製や木製、麻製などで、形状は矩形や円形をしているのが一般的で、その他には麻縄を円柱の紙管に巻いて支柱とし、その支柱を数本組み立てて設置して、爪とぎと遊具を兼ね備えたキャットタワーと呼ばれる物も広く利用されている。爪とぎ具を室内の壁面や柱に両面テープで取り付けるものや、鋲などを打ちつけて、設置する方法が提案されている。（特許文献１参照）。
【先行技術文献】
【０００３】
【特許文献１】登録実用新案第３０９７３９９号
【発明の開示】
【発明が解決しようとする課題】
【０００４】しかしながら、特許文献１に係る猫の爪とぎ具は、柱や壁の設置には適しても猫の居住場所のペットケージ等の格子状の構造物への設置は困難で、麻縄を巻いた支柱には対応していない。【０００５】また、ペットケージの中で爪とぎ具を使用する場合、ペットトイレ等で占領された狭いペットケージの中では、スペースも少なく、爪とぎの利用は限定的であり、不便を強いられている。【０００６】組み立て式のキャットタワーをペットケージに入れて利用する場合もあるが、大きい為にスペースを犠牲にするのはもちろん、入れ替えや清掃も大変な作業となる。【０００７】そこで、本発明は上記課題に鑑みてなされたものであり、ペットケージ等の格子状の構造物にでも、猫の爪とぎ具が簡単に設置できて、取替えも容易にできるようにする猫用の爪とぎ具の固定具を提供するものである。
【課題を解決するための手段】
【０００８】請求項１に係る発明は、愛玩猫が使用する爪とぎ具をペットケージ等の格子状の場所に設置する方法において、その格子状の場所に爪とぎ具の設置を可能にする為に、爪とぎ具の上方と下方に固定具を装備して、それらと格子状の構造物とを取り付ける事で固定できる事を特徴とする、猫用爪とぎ具の固定具。【０００９】請求項２に係る発明は、固定具には、棚板を取り付け出来る構造を持つ、請求項１に記載の爪とぎ具の固定具。【００１０】本発明は、一例として金属で構成されているが、樹脂や木材などを使用しても良く、原材料は限定するものではない。【００１１】本発明は、一例として、上方と下方に使う固定具は同じ物としているが、違うものでも良い。【００１２】本発明は、一例として取り付ける爪とぎ具を麻縄巻き製や、ダンボール製として説明しているが、麻のシートを巻きつけたものや、木製のもの等であっても良く、限定するものでは無い。【００１３】本発明の猫用爪とぎの固定具は、一例としてペットケージの格子状の構造物を外と中から金属プレート板を介して挟むようにボルトとナットで止めているが、形状は蝶ネジなどでも良く、また、ゴムやバネを利用して固定しても良く、限定するものではない。また、格子状の横方向の金網に、吊り下げるような鉤形状を有する取り付け具であっても良い。【００１４】本発明は、一例として爪とぎ具の長方を縦にして、上方と下方に固定具を設置するとしているが、限定するものでは無く、左右に固定具を取り付ける構造であっても良い。
【発明の効果】
【００１５】請求項１に記載の発明によれば、猫は自らの居住であるペットケージ等の格子状の壁面にも、猫用爪とぎ具の設置が可能となる。また、複数個を縦や横に並べる事も可能で、より広い爪とぎができるエリアの確保が実現できる。【００１６】さらに、本発明はペットケージの中側はもちろん、外側にも設置でき、多面的な遊空間として利用する事ができ、運動不足やストレスの解消にも大変役立つ事になる。【００１７】また、キャットタワーをペットケージの中に入れてスペースを犠牲にすることも無く、スペースに余裕が出来るため、清掃も楽である。しかも安価であり、自由に場所を変えてアレンジを楽しむ事も可能で、任意に使用個数も増やせる等の利点もある。【００１８】また、取替えも非常に簡単で、爪とぎ具本体の一部が消耗した時には、その爪とぎ具の本体の上下、表面裏面を容易に入れ替える事ができるので、非常に経済的である。【００１９】請求項２に記載の発明によれば、猫用爪とぎ具の固定具を利用して、棚板を設置する事により、猫が爪をとぐ時の足場、階段としての踏み台、あるいは休憩場所に使うなどの用途が可能となり、ペットケージの空間の有効利用が飛躍的に広がる。【００２０】また、設置場所の位置を変えるたり、複数台設置することで、それらの棚板は跳躍力の弱い幼猫や老猫には、段差の小さい階段にもなり、ペットケージの中の移動を助ける事にもなる。また、棚板は爪とぎ具の上方にも下方にも取り付けできるので非常に機能的である。
【図面の簡単な説明】
【００２１】
【図１】本発明の第一実施形態の全体的構成の一例を示す斜視図である。
【図２】本発明の第一実施形態の使用図である。
【図３】本発明の第一実施形態を示す斜視図である。
【図４】本発明の第一実施形態の平面図である。
【図５】本発明の第一実施形態の変形例を示す斜視図である。
【図６】本発明の第一実施形態の変形例の側面図である。
【図７】本発明の第二実施形態の全体的構成の一例を示す斜視図である。
【図８】本発明の第二実施形態の使用図である。
【図９】本発明の第二実施形態を示す斜視図である。
【図１０】本発明の第二実施形態の平面図である。
【図１１】本発明の第二実施形態の変形例を示す斜視図である。
【図１２】本発明の第二実施形態の変形例の側面図である。
【発明を実施するための形態】
【００２２】本発明を、図面を参照しながら説明する。
【００２３】図１は、本発明の第一実施形態に係る猫用爪とぎ具の固定具１を使用した全体の構成を示すものである。図２は、同じく本発明の第一実施形態に係る使用例として、ペットケージに固定した図を示したものである。一例として紙管に麻縄を巻いた猫用爪とぎ具Ｐの上方と下方に本発明の固定具１を２個使用している。上方と下方に設置された２個の固定具１は、同じもので、一方を逆さまにして、猫用爪とぎ具Ｐを上方と下方から対向させて挟み込み、固定具１の半円盤状の金属板１１の中心部にあるボルト挿入孔１３を通して、麻縄巻き柱の固定ネジ孔ＰＨとを固定ボルト１８で猫用爪とぎ具Ｐとを取り付ける。Ｕ字型の金属線材１２は半円盤状の金属板１１と接合している為、固定具１全体と猫用爪とぎ具Ｐは固定される。さらに、固定具１のＵ字型の金属線材１２の両サイドの２ケ所は、先端に向けてボルト１４になっていて、金属プレート板１６にある２ケ所の挿入孔１７を介して２個のナット１５で図２に示すペットケージの格子状の金網Ｓを半円盤状の金属板１１と金属プレート板１６で挟み込み固定する。
【００２４】図３は本発明の第一実施形態の猫用爪研ぎ具の固定具１の斜視図である。図４は同じくその平面図である。一例として、紙管に麻縄を巻いた柱を固定する時の猫用爪とぎ具の固定具である。
【００２５】図５は、本発明の第一実施形態に係る変形例を示す斜視図である。図６は同じくその側面図である。一例として麻縄を巻いた柱の猫用爪とぎ具Ｐに固定具１を上方と下方に取り付けるとき、猫用爪とぎ具Ｐに足場や休憩場所となる棚板Ｂをセットしたものある。固定具１と猫用爪とぎ具Ｐとの間に棚板Ｂを入れて、棚板固定ネジ孔ＢＨを通して、猫用爪とぎＰの固定ネジ孔ＰＨと固定ボルト１８で固定することができる。また、図面では棚板を猫用爪とぎの下方にセットしているが、本発明は構造上この棚板を、猫用爪とぎ具Ｐの上方にセットする事も可能である。
【００２６】図７は、本発明の第二実施形態に係る猫用爪とぎ具の固定具２を使用した全体の構成を示す斜視図であり、図８はその使用図である。一例として、ダンボール製で矩形の猫用爪とぎ具Ｄの上方と下方に本発明の固定具２を２個使用して固定する。上方と下方に設置された２個の固定具２は、同じもので一方を逆さまにして、猫用爪とぎ具Ｄを上方と下方から対向させて挟み込み、続いて図８にあるペットケージの格子状の金網Ｓと固定させるのであるが、固定具２の金属線材２２の両サイド２ケ所は、先端に向けてボルト１４になっていて、金属プレート板１６にある２ケ所の挿入孔１７を介して２個のナット１５でペットケージの格子状の金網Ｓを猫用爪とぎ具Ｄの裏面あるいは金属板２１と金属プレート板１６で挟み込み固定する。
【００２７】図９は本発明の第二実施形態の猫用爪研ぎ具の固定具２の斜視図である。図１０は同じく、その平面図である。一例として、ダンボール製で矩形の猫用爪とぎ具を固定する時の猫用爪とぎ具の固定具である。
【００２８】図１１は、本発明の第二実施形態に係る変形例を示す斜視図である。図１２は同じく、その側面図である。一例としてダンボール製で矩形の猫用爪とぎ具Ｄに固定具２を上方と下方に取り付けるとき、猫用爪とぎ具に足場や休憩場所となる棚板Ｂをセットしたものある。固定具２に棚板Ｂを置いて、挿入孔２３を通して、固定ボルト１８で固定することができる。また、図面では棚板を爪とぎの下方にセットしているが、本発明は構造上この棚板を、猫用爪とぎ具Ｄの上方にセットする事も可能である。
【符号の説明】
【００２９】１・・・・麻縄巻き柱猫用爪とぎ具の固定具
１１・・・固定具の半円盤状の金属板
１２・・・Ｕ字型の金属線材
１３・・・挿入孔
１４・・・ボルト
１５・・・ナット
１６・・・金属プレート板
１７・・・挿入孔
１８・・・固定ボルト
Ｐ・・・・麻縄巻き猫用爪とぎ具
ＰＨ・・・麻縄巻き柱の固定ネジ孔
Ｓ・・・・ペットケージの格子状の金網
Ｂ・・・・棚板
ＢＨ・・・棚板固定ネジ孔
２・・・・ダンボール製猫用つめとぎ具の固定具
２１・・・金属板
２２・・・金属線材
２３・・・挿入孔
【図１】
2012050419.tif 000003
【図２】
2012050419.tif 000004
【図３】
2012050419.tif 000005
【図４】
2012050419.tif 000006
【図５】
2012050419.tif 000007
【図６】
2012050419.tif 000008
【図７】
2012050419.tif 000009
【図８】
2012050419.tif 000010
【図９】
2012050419.tif 000011
【図１０】
2012050419.tif 000012
【図１１】
2012050419.tif 000013
【図１２】
2012050419.tif 000014